(57)【要約】【課題】商品見本に対応するラベル片の交換作業を簡易に行うことができ、例えば自動販売機に組み込むに好適な商品展示装置を提供する。【解決手段】商品見本を載置する展示棚と、この展示棚の下面に前後方向にスライド自在に設けられたラベル保持体とを備える。特にラベル保持体に、該ラベル保持体が前記展示棚の下面から該展示棚の前面に引き出されたとき、その上面が開放されて前記展示棚に載置される商品見本に対応するラベル片を装脱可能に保持するラベル収納部と、このラベル収納部の前面部に設けられて該ラベル収納部に保持された前記ラベル片を視認可能とする表示窓とを設けたことを特徴とする。【選択図】      図１
2004295801.tif 000002
【特許請求の範囲】
【請求項１】
商品見本を載置する展示棚と、
この展示棚の下面に前後方向にスライド自在に設けられたラベル保持体と、
このラベル保持体に設けられて該ラベル保持体が前記展示棚の下面から該展示棚の前面に引き出されたとき、その上面が開放されて前記展示棚に載置される商品見本に対応するラベル片を装脱可能に保持するラベル収納部と、
前記ラベル保持体における上記ラベル収納部の前面部に設けられて該ラベル収納部に保持された前記ラベル片を視認可能とする表示窓と
を具備したことを特徴とする商品展示装置。
【請求項２】
前記表示窓は、合成樹脂製の部材からなる前記ラベル保持体の透明領域として形成されるものである請求項１に記載の商品展示装置。
【請求項３】
前記展示棚は、複数個の商品見本を横並びに載置するものであって、
前記ラベル保持体は、前記展示棚に載置される各商品見本に対応するラベル片をそれぞれ装脱可能に保持する複数のラベル収納部を形成したものである請求項１に記載の商品展示装置。
【請求項４】
前記ラベル保持体は、前記ラベル収納部の裏面側に、該ラベル保持体が前記展示棚の下面から該展示棚の前面に引き出されたとき、ラベル収納部の中央領域と一体にその上面が開放されて指先の挿入を可能とする空間部を備えたものである請求項１に記載の商品展示装置。
【発明の詳細な説明】
【０００１】
【発明の属する技術分野】
本発明は、例えば自動販売機の商品展示部に組み込むに好適な商品展示装置に関する。
【０００２】
【関連する背景技術】
自動販売機には、例えば図５に示すように販売機本体１の前面に開閉自在に設けられた前扉２の前面に商品展示部３が設けられる。この商品展示部３は、複数の商品見本Ｓを並べて載置する複数段の展示棚４を備えたもので、各展示棚４の前面部には、商品棚４に載置された商品見本Ｓに対応する商品選択釦５と、各商品の販売価格を記載したラベル片（価格ラベル）Ｌとがそれぞれ設けられる。
【０００３】
ちなみにラベル片Ｌは、例えば図６に示すように展示棚４の前面下部に、その上方に突出して設けられた商品押さえ板を兼ねた透明な前板部４ａと、展示棚４に載置される商品見本Ｓの前面との間に挟み込んで設けられる。尚、透明な合成樹脂製のラベル保持体を準備し、このラベル保持体にラベル片Ｌを装着すると共に、このラベル保持体の裏面に商品見本Ｓを挟み込んで展示棚４の前面部に取り付けることも行われている（例えば特許文献１を参照）。
【０００４】
【特許文献１】
特開平７−１２９８３０号公報
【０００５】
【発明が解決しようとする課題】
しかしながら図６に示す構造の商品展示装置にあっては、販売価格の変更等に伴ってラベル片Ｌを交換する場合、その都度、展示棚４から商品見本Ｓを取り外す必要がある。また特許文献１に示す構造の商品展示装置においては、展示棚４から商品見本Ｓと共にラベル保持体を取り外した上で、ラベル片Ｌの交換を行う必要がある。この為、ラベル片Ｌの交換作業が非常に煩わしいと言う問題があった。
【０００６】
本発明はこのような事情を考慮してなされたもので、その目的は、商品見本に対応するラベル片の交換作業を簡易に行うことができ、例えば自動販売機に組み込むに好適な商品展示装置を提供することにある。
【０００７】
【課題を解決するための手段】
上述した目的を達成するべく本発明に係る商品展示装置は、例えば自動販売機の商品展示部に組み込むに好適なものであって、
商品見本を載置する展示棚と、この展示棚の下面に前後方向にスライド自在に設けられたラベル保持体とを具備し、特にこのラベル保持体に、該ラベル保持体が前記展示棚の下面から該展示棚の前面に引き出されたとき、その上面が開放されて前記展示棚に載置される商品見本に対応するラベル片を装脱可能に保持するラベル収納部と、このラベル収納部の前面部に設けられて該ラベル収納部に保持された前記ラベル片を視認可能とする表示窓とを設けたことを特徴としている。
【０００８】
好ましくは前記表示窓は、合成樹脂製の部材からなる前記ラベル保持体の透明領域として形成される。また前記展示棚が、複数個の商品見本を横並びに載置するものからなるとき、前記ラベル保持体は、前記展示棚に載置される各商品見本に対応するラベル片をそれぞれ装脱可能に保持する複数のラベル収納部を形成したものとして形成することが望ましい。更に前記ラベル保持体については該ラベル保持体が前記展示棚の下面から該展示棚の前面に引き出されたとき、ラベル収納部の中央領域と一体にその上面が開放されて指先の挿入を可能とする空間部を前記ラベル収納部の裏面側に備えたものとして構成することが好ましい。
【０００９】
このような構成の商品展示装置によれば、展示棚の下面に前後にスライド自在に設けたラベル保持体を引き出せば、これによってラベル保持体に設けられたラベル収納部の上面が開放されるので、ラベル収納部の裏面側に形成された空間部に指先を突っ込むことでラベル片を容易に取り外し、また新たなラベル片を上記ラベル収納部に容易に装着することができる。その後、ラベル保持体を展示棚の下面に押し込むことによって上記ラベル収納部を閉塞することができるので、ラベル片の汚れを効果的に防止することができる。
【００１０】
特に展示棚に載置した商品見本を動かすことなしにラベル片だけを容易に交換することができるので、その作業性を非常に良好にすることができる。
【００１１】
【発明の実施の形態】
以下、図面を参照して本発明の一実施形態に係る商品展示装置について、たばこ等の箱形のパッケージ商品を販売する自動販売機用の商品展示装置を例に説明する。
図１はこの商品展示装置の概略構成を示す図で、１０は商品展示棚であり、２０は商品展示棚１０の下面に前後にスライド自在に設けられたラベル保持体である。これらの商品展示棚１０およびラベル保持体２０は、例えば合成樹脂製の部品からなり、ここでは５個の商品見本Ｓを横並びに載置して展示する５連形のものとして実現されている。
【００１２】
ちなみに商品展示棚１０は、その前面部を傾斜面とした箱状の本体部１１の前面下端部に、前方に向けて突出して商品見本Ｓを載置する棚部１２を設け、更にこの棚部１２の前端に所定高さの商品見本の受け部１３を設けた構造を有する。また前記本体部１１の傾斜した前面には、複数個の商品見本Ｓを並べて保持するための仕切片１４が所定の間隔で突出形成されている。更に前記本体部１１の前面には、上記仕切片１４にて区画された領域毎に、その板面をコの字状に切り欠いて設けられて前方に向けて偏倚された複数の押圧片１５がそれぞれ形成されている。これらの押圧片１５は、前記棚部１２に載置された商品見本Ｓにより後方に押されて撓んだとき、その素材（合成樹脂材）が有する弾性復元力を用いて前記受け部１３との間に商品見本Ｓを挟み込んで保持する役割を担う。
【００１３】
一方、上述した商品展示棚１０の下面に前後にスライド自在に取り付けられるラベル保持体２０は、その上面２１を商品展示棚１０に対する取り付け面としたもので、図２（ａ）にその断面構造を示すように前記受け部１３の前面と同一面に位置付けられる前面部２２を透明な表示窓領域としている。またこの透明な前面部２１の裏面側には、前面部２２と平行にラベル片Ｌを収納する所定の溝幅のスリット状のラベル収納部２３が形成されている。
【００１４】
このラベル収納部２３は、図２（ｂ）に示すように商品展示棚１０の下面からラベル保持体２０が前方に引き出されたとき、その上方が開放されるもので、この状態にて前記ラベル収納部２３へのラベル片Ｌの装脱が行われる。特にラベル保持体２０の上記ラベル収納部２３の後ろ側には、商品展示棚１０の下面からラベル保持体２０が前方に引き出されたとき、該ラベル収納部２２と一体にその上面が開放されて指先の挿入を可能とする空間部２４を形成した略球面状の覆い部２５が形成されている。この覆い部２５は、図２（ａ）に示すように商品展示棚１０の下面にラベル保持体２０を押し込んだとき、前記商品展示棚１０の下面と協働して上記空間部２４を、ひいてはラベル収納部２３を外部から隔離してゴミ等の侵入を防止する役割を担う。
【００１５】
尚、前記商品展示棚１０の下面への前記ラベル保持体２０のスライド自在な取り付けは、図３にその裏面側の構造を、また図４（ａ）（ｂ）にその要部拡大図を示すように、商品展示棚１０の下面に突出して形成したＴ字状の支持部１６を挟み込んで、ラベル保持体２０の上面２１に平行に設けた２本の係止片２６を嵌合させることによって行われる。尚、上記係止片２６は、その基部と該係止片２６の先端に形成した爪部２７とによってラベル保持体２０のスライド範囲を規制する役割も担っている。
【００１６】
かくしてこのような構造のラベル保持体２０を、商品展示棚１０の下面に前後にスライド自在に設けた商品展示装置によれば、商品展示棚１０の下面からラベル保持体２０を引き出すだけで、そのラベル収納部２３へのラベル片Ｌの着脱を容易に行うことができる。特に商品展示棚１０に載置した商品見本Ｓを外すことなくラベル片Ｌの着脱を簡単に行うことができる。
【００１７】
ちなみにラベル収納部２３からのラベル片Ｌの取り外しは、ラベル収納部２３の裏面側に形成された空間部２４に指先を入れ、この指先にてラベル片Ｌを押さえながら指先を上方に引き抜くことによって簡単に行うことができる。またラベル収納部２３へのラベル片Ｌの装填は、その開放された上面からラベル片Ｌを差し込むだけで簡単に行い得る。そしてラベル片Ｌを装填したラベル保持体２０を商品展示棚１０の下面に押し込めば、ラベル収納部２３および空間部２４の開放された上面が商品展示棚１０によって閉塞されるので、ゴミや埃等の侵入によるラベル片Ｌの汚れを効果的に防止することが可能となる。
【００１８】
またこのような構造の商品展示装置によれば、自動販売機の商品展示部に組み付けた場合、仮にラベル保持体２０が商品展示棚１０の前面に突出したままの状態であったとしても、上記商品展示部の前面を覆って設けられた透明なカバー体とラベル保持体２０の前面との当接によって、その組み付け時にラベル保持体２０が商品展示棚１０の下面に押し込められるので、その閉じ忘れに効果的に対処することができる等の利点がある。
【００１９】
尚、本発明は上述した実施形態に限定されるものではない。例えば実施形態においては５連形のものについて説明したが、その連設数は仕様に応じて定めれば十分である。またここではたばこの自動販売機に組み込むに好適な装置について例示したが、飲料を缶またはボトルに充填した飲料商品の自動販売機の商品展示装置にも同様に適用することができる。
【００２０】
またラベル保持体２０の前面板２２については、ラベル片Ｌに対向する部位だけを透明な表示窓として形成することも可能である。更にこの表示窓を着色することも勿論可能である。またこの表示窓を前面板２２の開口した孔部として形成しておき、ここに予め保護膜材にてラミネートしたラベル片Ｌを装填するように構成しても良い。その他、本発明はその要旨を逸脱しない範囲で種々変形して実施することができる。
【００２１】
【発明の効果】
以上説明したように本発明によれば、展示棚に載置した商品見本を取り外すことなく、商品見本に対応する価格ラベル等のラベル片を簡易に交換することのできる簡易で実用性の高い構造の商品展示装置を提供することができる。従って自動販売機に商品展示部等に組み込むに好適であり、実用上多大なる効果が奏せられる。
【図面の簡単な説明】
【図１】本発明の一実施形態に係る商品展示装置の要部概略構成図。
【図２】図１に示す商品展示装置の断面構造とその作用を説明するための図。
【図３】図１に示す商品展示装置の裏面側における商品展示棚の下面へのラベル保持体の取り付け構造を示す図。
【図４】商品展示棚とラベル保持体との取り付け構造を拡大して示す図。
【図５】自動販売機における商品展示部の例を示す図。
【図６】従来の商品展示装置の概略的な構成図。
【符号の説明】
１０  商品展示棚
１２  棚部
１３  受け部
１５  押圧片
１６  支持部
２０  ラベル保持体
２２  前面部（表示窓）
２３  ラベル収納部
２４  空間部
２５  覆い部
２６  係止片
【図１】
2004295801.tif 000003
【図２】
2004295801.tif 000004
【図３】
2004295801.tif 000005
【図４】
2004295801.tif 000006
【図５】
2004295801.tif 000007
【図６】
2004295801.tif 000008